(57)【要約】      （修正有）【課題】地震等の災害から就寝者を保護することが出来ると共に、組み立てが容易に行えるベッド用簡易耐震装置を提供する。【解決手段】ベッド１０の外周部を取り囲むと共に四隅のそれぞれに複数の突起部が立設された矩形状の底枠１００と、底枠により取り囲まれた床面上に粘着テープで固定された化粧板２００と、底枠の四隅の内の足部側に位置する両隅のそれぞれに立設された３本の突起部１１０に下端部側が勘合すると共に、上端部側が足部側支柱連結部材３０１で連結された左右一対の足部側支柱部材を有する足部側支柱組品３００と、頭部側支柱組品４００と、右側の足部側支柱部材３１０Ｒと右側の頭部側支柱部材４１０Ｒとを繋いだ右側梁部材５００と、左側の足部側支柱部材３１０Ｌと左側の頭部側支柱部材４１０Ｌとを繋いだ左側梁部材６００と、これらの部材に対して固定された天井補強格子部材７００と、を備えた構成である。【選択図】図１
0003197151.tif 000002
【実用新案登録請求の範囲】
【請求項１】
ベッドを設置した床面上に配置され、前記床面と接する前記ベッドの外周部を取り囲むと共に四隅のそれぞれに複数の突起部が立設された、平面視で矩形状の底枠部材と、
前記底枠部材により取り囲まれた前記床面上に粘着部材で固定された板状部材と、
前記底枠部材の前記四隅の内、前記ベッドの足部側に位置する両隅のそれぞれに立設された複数の突起部に下端部側が勘合すると共に、上端部側が連結部材で連結された一対の足部側支柱部材を有する足部側支柱組品と、
前記底枠部材の前記四隅の内、前記ベッドの頭部側に位置する両隅のそれぞれに立設された複数の突起部に下端部側が勘合すると共に、上端部側が連結部材で連結された一対の頭部側支柱部材を有する頭部側支柱組品と、
一方の前記足部側支柱部材の上端部に設けられた穴部に対して一端側の第１突起部が下向きに挿入されると共に、一方の前記頭部側支柱部材の上端部に設けられた穴部に対して他端側の第１突起部が下向きに挿入されることで、前記一方の足部側支柱部材と前記一方の頭部側支柱部材とを繋いだ第１梁部材と、
他方の前記足部側支柱部材の上端部に設けられた穴部に対して一端側の第２突起部が下向きに挿入されると共に、他方の前記頭部側支柱部材の上端部に設けられた穴部に対して他端側の第２突起部が下向きに挿入されることで、前記他方の足部側支柱部材と前記他方の頭部側支柱部材とを繋いだ第２梁部材と、
前記足部側支柱組品と前記頭部側支柱組品と前記第１梁部材と前記第２梁部材とに対して四方が固定された天井補強部材と、
を備えたベッド用簡易耐震装置。
【請求項２】
前記底枠部材の四隅に立設された前記突起部は、前記四隅の各隅に三本ずつ設けられており、
前記天井補強部材は、複数の長板部材が平面視で格子状に配置され交差部で互いに溶接固定されている、ことを特徴とする請求項１に記載のベッド用簡易耐震装置。
【請求項３】
前記ベッドの足部側の前記両隅に立設された前記足部側支柱部材と、前記ベッドの頭部側の前記両隅に立設された前記頭部側支柱部材は、内部が中空の三本の支柱を立設すると共に、隣接する前記支柱が互いに補強材により連結されている、ことを特徴とする請求項２に記載のベッド用簡易耐震装置。
【請求項４】
前記足部側支柱部材の前記三本の支柱の内、前記ベッドの長辺側において立設された足部長辺側支柱の高さは、角部の支柱の高さより低く、且つ、前記頭部側支柱部材の前記三本の支柱の内、前記ベッドの長辺側において立設された頭部長辺側支柱の高さは、角部の支柱の高さより低く構成されており、
前記第１梁部材の前記一端側の第１突起部は、一端側の第１下側突起部と、前記一端側の第１下側突起部の下端部より上方に下端部を有する一端側の第１上側突起部とを有し、
前記第１梁部材の前記他端側の第１突起部は、他端側の第１下側突起部と、前記他端側の第１下側突起部の下端部より上方に下端部を有する他端側の第１上側突起部とを有し、
前記第１梁部材の前記一端側の第１下側突起部は、前記足部長辺側支柱の先端部と勘合すると共に、前記第１梁部材の前記一端側の第１上側突起部は、前記足部側支柱部材の前記三本の支柱の内の前記角部の支柱の先端部と勘合する構成であり、
前記第１梁部材の前記他端側の第１下側突起部は、前記頭部長辺側支柱の先端部と勘合すると共に、前記第１梁部材の前記他端側の第１上側突起部は、前記頭部側支柱部材の前記三本の支柱の内の前記角部の支柱の先端部と勘合する構成であり、
前記第１梁部材と前記第２梁部材は同一形状である、ことを特徴とする請求項３に記載のベッド用簡易耐震装置。
【考案の詳細な説明】
【技術分野】
【０００１】
本考案は、ベッド用簡易耐震装置に関する。
【背景技術】
【０００２】
従来、就寝中に発生した地震等の災害から就寝者を保護するための装置として、地震災害対策用の寝台型シェルターなどが知られている（例えば、特許文献１参照）。
【０００３】
当該寝台型シェルターは、地震災害発生時における落下物などから就寝者を守る為の空間構造を確保すると共に、一定期間生命を維持する為の必需品を収納可能とした機能を有している。
【先行技術文献】
【特許文献】
【０００４】
【特許文献１】実用新案登録第３０４８４１６号公報
【考案の概要】
【考案が解決しようとする課題】
【０００５】
しかしながら、従来のこの様な寝台型シェルターは、構造が大がかりであり、既設住宅の室内に設置するためには、その取り扱いや組み立て作業が複雑なものとなるという問題があった。
【０００６】
本考案は、上記従来の課題に鑑みて、地震等の災害から就寝者を保護することが出来ると共に、組み立て作業が容易に行えるベッド用簡易耐震装置を提供することを目的とする。
【課題を解決するための手段】
【０００７】
第１の本考案は、ベッドを設置した床面上に配置され、前記床面と接する前記ベッドの外周部を取り囲むと共に四隅のそれぞれに複数の突起部が立設された、平面視で矩形状の底枠部材と、
前記底枠部材により取り囲まれた前記床面上に粘着部材で固定された板状部材と、
前記底枠部材の前記四隅の内、前記ベッドの足部側に位置する両隅のそれぞれに立設された複数の突起部に下端部側が勘合すると共に、上端部側が連結部材で連結された一対の足部側支柱部材を有する足部側支柱組品と、
前記底枠部材の前記四隅の内、前記ベッドの頭部側に位置する両隅のそれぞれに立設された複数の突起部に下端部側が勘合すると共に、上端部側が連結部材で連結された一対の頭部側支柱部材を有する頭部側支柱組品と、
一方の前記足部側支柱部材の上端部に設けられた穴部に対して一端側の第１突起部が下向きに挿入されると共に、一方の前記頭部側支柱部材の上端部に設けられた穴部に対して他端側の第１突起部が下向きに挿入されることで、前記一方の足部側支柱部材と前記一方の頭部側支柱部材とを繋いだ第１梁部材と、
他方の前記足部側支柱部材の上端部に設けられた穴部に対して一端側の第２突起部が下向きに挿入されると共に、他方の前記頭部側支柱部材の上端部に設けられた穴部に対して他端側の第２突起部が下向きに挿入されることで、前記他方の足部側支柱部材と前記他方の頭部側支柱部材とを繋いだ第２梁部材と、
前記足部側支柱組品と前記頭部側支柱組品と前記第１梁部材と前記第２梁部材とに対して四方が固定された天井補強部材と、
を備えたベッド用簡易耐震装置である。
【０００８】
また、第２の本考案は、前記底枠部材の四隅に立設された前記突起部は、前記四隅の各隅に三本ずつ設けられており、
前記天井補強部材は、複数の長板部材が平面視で格子状に配置され交差部で互いに溶接固定されている、ことを特徴とする上記第１の本考案のベッド用簡易耐震装置である。
【０００９】
また、第３の本考案は、前記ベッドの足部側の前記両隅に立設された前記足部側支柱部材と、前記ベッドの頭部側の前記両隅に立設された前記頭部側支柱部材は、内部が中空の三本の支柱を立設すると共に、隣接する前記支柱が互いに補強材により連結されている、ことを特徴とする上記第２の本考案のベッド用簡易耐震装置である。
【００１０】
また、第４の本考案は、前記足部側支柱部材の前記三本の支柱の内、前記ベッドの長辺側において立設された足部長辺側支柱の高さは、角部の支柱の高さより低く、且つ、前記頭部側支柱部材の前記三本の支柱の内、前記ベッドの長辺側において立設された頭部長辺側支柱の高さは、角部の支柱の高さより低く構成されており、
前記第１梁部材の前記一端側の第１突起部は、一端側の第１下側突起部と、前記一端側の第１下側突起部の下端部より上方に下端部を有する一端側の第１上側突起部とを有し、
前記第１梁部材の前記他端側の第１突起部は、他端側の第１下側突起部と、前記他端側の第１下側突起部の下端部より上方に下端部を有する他端側の第１上側突起部とを有し、
前記第１梁部材の前記一端側の第１下側突起部は、前記足部長辺側支柱の先端部と勘合すると共に、前記第１梁部材の前記一端側の第１上側突起部は、前記足部側支柱部材の前記三本の支柱の内の前記角部の支柱の先端部と勘合する構成であり、
前記第１梁部材の前記他端側の第１下側突起部は、前記頭部長辺側支柱の先端部と勘合すると共に、前記第１梁部材の前記他端側の第１上側突起部は、前記頭部側支柱部材の前記三本の支柱の内の前記角部の支柱の先端部と勘合する構成であり、
前記第１梁部材と前記第２梁部材は同一形状である、ことを特徴とする上記第３の本考案のベッド用簡易耐震装置である。
【考案の効果】
【００１１】
本考案によれば、地震等の災害から就寝者を保護することが出来ると共に、組み立て作業が容易に行えるベッド用簡易耐震装置を提供することが出来る。
【図面の簡単な説明】
【００１２】
【図１】（ａ）：本実施の形態のベッド用簡易耐震装置の組み立て後の平面図、（ｂ）：本実施の形態のベッド用簡易耐震装置の組み立て後の側面図であって、ベッドの右側のサイドフレーム側から見た図、（ｃ）：本実施の形態のベッド用簡易耐震装置の組み立て後の側面図であって、ベッドのフットボード側から見た図
【図２】本実施の形態のベッド用簡易耐震装置の組み立て後の斜視図であって、ベッドのフットボード側から見た図
【図３】（ａ）：本実施の形態で用いた一般的なベッドのサイドフレームを右側から見た右側面図、（ｂ）：本実施の形態で用いた一般的なベッドのフットボートからヘッドボード側を見た側面図
【図４】（ａ）：本実施の形態のベッド用簡易耐震装置の底枠の平面図、（ｂ）：同底枠の右側面図、（ｃ）：同底枠の足部側の側面図
【図５】（ａ）：本実施の形態のベッド用簡易耐震装置の足部側支柱組品の足部側の側面図、（ｂ）：同足部側支柱組品の右側面図、（ｃ）：同足部側支柱組品を上部から見たときの平面図
【図６】（ａ）：本実施の形態のベッド用簡易耐震装置の右側梁部材の右側面図、（ｂ）：図６（ａ）の右側梁部材について、右頭部側の上側突起部側から右足部側の上側突起部の方を見たときの右側梁部材の側面図、（ｃ）：本実施の形態のベッド用簡易耐震装置の天井補強格子部材の平面図、（ｄ）：図６（ｃ）の天井補強格子部材の側面図
【図７】本実施の形態のベッド用簡易耐震装置の底枠と化粧板の組み立て状況を示す平面図
【図８】本実施の形態のベッド用簡易耐震装置の底枠と化粧板の組み立て状況を示す斜視図
【図９】本実施の形態のベッド用簡易耐震装置の組み立て途中においてベッドを配置した状況を示す斜視図
【図１０】（ａ）：本実施の形態のベッド用簡易耐震装置において、底枠と、足部側支柱組品と、頭部側支柱組品と、右側梁部材と、左側梁部材との組み立て手順を示す右側面図、（ｂ）：図１０（ａ）で示す各部材を組み立てた状況を示すと共に、天井補強格子部材の組み立て手順を示す右側面図
【図１１】本実施の形態のベッド用簡易耐震装置において、底枠と足部側支柱組品との組み立て状況を示す斜視図
【図１２】本実施の形態のベッド用簡易耐震装置において、天井補強格子部材を固定した状況を示す斜視図
【図１３】本実施の形態のベッド用簡易耐震装置の組み立てが完了した状態を示す概略斜視図
【図１４】本実施の形態のベッド用簡易耐震装置において、ベッドが動かない様にする為に、スペーサーを接着した状況を示す斜視図
【図１５】本実施の形態のベッド用簡易耐震装置を組み立てた後、テレビを固定した状況を示す斜視図
【考案を実施するための形態】
【００１３】
以下に、本考案のベッド用簡易耐震装置の一実施の形態について、図面を用いて説明する。
【００１４】
先ず、図１（ａ）〜図２を用いて、本実施の形態のベッド用簡易耐震装置１の全体構成について説明する。
【００１５】
図１（ａ）〜図１（ｃ）は、本実施の形態のベッド用簡易耐震装置１の組み立て完成図であり、図１（ａ）はベッド用簡易耐震装置１の平面図（但し、ベッド１０は図示を省略した）、図１（ｂ）はベッド１０の右側のサイドフレーム１０Ｓ側からベッド用簡易耐震装置１を見た時の側面図、図１（ｃ）はベッド１０のフットボード１０Ｆ側からベッド用簡易耐震装置１を見た時の側面図である。
【００１６】
図２は、本実施の形態のベッド用簡易耐震装置１の組み立て完成図であり、ベッド１０のフットボード１０Ｆ側からベッド用簡易耐震装置１を見た斜視図である。
【００１７】
尚、本実施の形態における、ベッド１０の左右方向、及び、ベッド用簡易耐震装置１の左右方向については、ベッド１０のヘッドボード１０Ｈ側に頭部を置き、フットボード１０Ｆ側に足部が向くようにして仰向けに寝た状態を基準として、右手側を右側、左手側を左側と呼ぶものとする（図３参照）。また、ベッド１０のヘッドボード１０Ｈ側を頭部側、フットボード１０Ｆ側を足部側と呼ぶこともある。
【００１８】
また、図２では、ベッド１０のヘッドボード１０Ｈ及びマットレス１０Ｍ（図３参照）の記載を省略した。
【００１９】
図１（ａ）〜図２に示す通り、本実施の形態のベッド用簡易耐震装置１は、
（１）ベッド１０を設置した室内の床面２０の上に配置され、床面２０と接するベッド１０の外周部を取り囲むと共に四隅のそれぞれに３本の突起部１１０が立設された、平面視で矩形状の底枠１００と、
（２）底枠１００により取り囲まれた床面上に粘着テープ（図示省略）で固定された化粧板２００（図８参照）と、
（３）底枠１００の四隅の内、ベッド１０の足部側（フットボード１０Ｆ側）に位置する両隅のそれぞれに立設された３本の突起部１１０に下端部側が勘合すると共に、上端部側が足部側支柱連結部材３０１と連結棒３０２とで連結された左右一対の足部側支柱部材３１０Ｌ、３１０Ｒを有する足部側支柱組品３００と、
（４）底枠１００の四隅の内、ベッド１０の頭部側（ヘッドボード１０Ｈ側）に位置する両隅のそれぞれに立設された３本の突起部１１０に下端部側が勘合すると共に、上端部側が頭部側支柱連結部材４０１と連結棒４０２とで連結された左右一対の頭部側支柱部材４１０Ｌ、４１０Ｒを有する頭部側支柱組品４００と、
（５）右側の足部側支柱部材３１０Ｒの上端部に設けられた穴部３２０Ｒ１、３２０Ｒ２に対して、右足部側の上側突起部５００Ｆ１、右足部側の下側突起部５００Ｆ２（図６（ａ）参照）がそれぞれ下向きに挿入されると共に、右側の頭部側支柱部材４１０Ｒの上端部に設けられた穴部４２０Ｒ１、４２０Ｒ２に対して、右頭部側の上側突起部５００Ｈ１、右頭部側の下側突起部５００Ｈ２（図６（ａ）参照）がそれぞれ下向きに挿入されることで、右側の足部側支柱部材３１０Ｒと右側の頭部側支柱部材４１０Ｒとを繋いだ右側梁部材５００と、
（６）左側の足部側支柱部材３１０Ｌの上端部に設けられた穴部３２０Ｌ１、３２０Ｌ２に対して、左足部側の上側突起部６００Ｆ１、左足部側の下側突起部６００Ｆ２（図６（ａ）参照）がそれぞれ下向きに挿入されると共に、左側の頭部側支柱部材４１０Ｌの上端部に設けられた穴部４２０Ｌ１、４２０Ｌ２に対して、左頭部側の上側突起部６００Ｈ１、左頭部側の下側突起部６００Ｈ２（図６（ａ）参照）がそれぞれ下向きに挿入されることで、左側の足部側支柱部材３１０Ｌと左側の頭部側支柱部材４１０Ｌとを繋いだ左側梁部材６００と、
（７）足部側支柱組品３００と頭部側支柱組品４００と右側梁部材５００と左側梁部材６００とに対して四方が固定された天井補強格子部材７００と、
の概ね７つの部材で組み立てられている。
【００２０】
この様に、化粧板２００を除く全ての部材、即ち、足部側支柱組品３００と、頭部側支柱組品４００と、右側梁部材５００と、左側梁部材６００と、天井補強格子部材７００が、何れも予めブロック化されているので、部品点数が少なくなり、組み立ての工程数の低減が図れる。
【００２１】
尚、本実施の形態の底枠１００は、本考案の底枠部材の一例にあたり、本実施の形態の化粧板２００は、本考案の板状部材の一例にあたる。また、本実施の形態の左右一対の足部側支柱部材３１０Ｌ、３１０Ｒは、本考案の一対の足部側支柱部材の一例にあたり、本実施の形態の足部側支柱組品３００は、本考案の足部側支柱組品の一例にあたる。また、本実施の形態の左右一対の頭部側支柱部材４１０Ｌ、４１０Ｒは、本考案の一対の頭部側支柱部材の一例にあたり、本実施の形態の頭部側支柱組品４００は、本考案の頭部側支柱組品の一例にあたる。また、本実施の形態の右側梁部材５００は、本考案の第１梁部材の一例にあたり、本実施の形態の左側梁部材６００は、本考案の第２梁部材の一例にあたる。また、本実施の形態の天井補強格子部材７００は、本考案の天井補強部材の一例にあたる。
【００２２】
次に、図３（ａ）〜図６（ｄ）を用いて、各部の構成について更に説明する。
【００２３】
図３（ａ）は、本実施の形態で用いた一般的なベッド１０のサイドフレーム１０Ｓを右側から見た右側面図であり、図３（ｂ）は、同ベッド１０のフットボート１０Ｆからヘッドボード１０Ｈ側を見た側面図である。
【００２４】
また、図４（ａ）は底枠１００の平面図であり、図４（ｂ）は底枠１００の右側面図であり、図４（ｃ）は底枠１００の足部側の側面図である。
【００２５】
また、図５（ａ）は足部側支柱組品３００の足部側の側面図であり、図５（ｂ）は足部側支柱組品３００の右側面図であり、図５（ｃ）は足部側支柱組品３００を上部から見たときの平面図である。
【００２６】
尚、頭部側支柱組品４００は、足部側支柱組品３００と同じ構成であるのでその説明を省略する。
【００２７】
また、図６（ａ）は右側梁部材５００の右側面図である。図６（ｂ）は、図６（ａ）の右側梁部材５００について、右頭部側の上側突起部５００Ｈ１側から右足部側の上側突起部５００Ｆ１の方を見たときの右側梁部材５００の側面図である。
【００２８】
尚、左側梁部材６００は、右側梁部材５００と同じ構成であるので説明は省略する。
【００２９】
また、図６（ｃ）は、天井補強格子部材７００の平面図である。図６（ｄ）は、図６（ｃ）の天井補強格子部材７００の側面図である。
【００３０】
本実施の形態では、ベッドサイズが、縦２２０ｍｍ（ヘッドボード１０Ｈの縦寸法２０ｍｍを含む）、横１４５ｍｍ、高さ２２ｍｍ（マットレス１０Ｍの高さを含まず）のダブルベッドを用いた場合について説明するが、これに限定されるものではなく、ベッド１０のサイズは、シングルサイズ、セミシングルサイズ、セミダブルサイズ、又は、クイーンサイズなどの何れのサイズであっても良い。
【００３１】
また、本実施の形態では、ヘッドボード１０Ｈを有するベッド１０を用いた場合に付いて説明するが（図３（ａ）、図３（ｂ）参照）、これに限定されるものではなく、ヘッドボード１０Ｈを有さないベッドを用いても良い。
【００３２】
底枠１００は、図４（ａ）〜図４（ｃ）に示す様に、平面視で長方形のステンレス製の額縁状の底枠本体１０１と、底枠本体１０１の四隅に３本ずつ固定された突起部１１０とから構成されている。底枠本体１０１の長辺１０１Ｌの内側寸法１１０Ｌは、ベッド１０の縦２２０ｍｍより若干大きく、且つ、底枠本体１０１の短辺１０１Ｓの内側寸法１１０Ｓは、ベッド１０の横１４５ｍｍより若干大きく設定されている。
【００３３】
また、底枠本体１０１の四隅に固定された突起部１１０は、それぞれ断面が四角形の所定長さのステンレス製パイプであり、各隅に３本ずつ溶接固定されて立設している。
【００３４】
また、化粧板２００は、底枠本体１０１の長辺１０１Ｌと短辺１０１Ｓに囲まれた領域１０２（図４（ａ）参照）に敷き詰める様に（但し、中央部１０２Ｃは除く）、４枚のパネル２０１〜２０４（図７参照）から構成されている。
【００３５】
尚、本実施の形態の化粧板２００は、木製合板又はベニヤ板であり、その他の部材は、基本的にステンレス製の板材、棒材、又はパイプである。
【００３６】
また、足部側支柱組品３００は、図５（ａ）〜図５（ｃ）に示す様に、左側の足部側支柱部材３１０Ｌの上端部と右側の足部側支柱部材３１０Ｒの上端部とが、断面が四角形のステンレス製のパイプである足部側支柱連結部材３０１により溶接固定により連結されることで、一体物として構成されている。
【００３７】
また、足部側支柱連結部材３０１の上面には、天井補強格子部材７００を固定する為の取付板３３０が突き出して固定されており、各取付板３３０には、固定用ボルトを挿入する為の貫通孔３３０ａが設けられている。
【００３８】
右側の足部側支柱部材３１０Ｒは、断面が四角形のステンレス製のパイプ（図５（ａ）〜図５（ｃ）の符号３１１ａ〜３１１ｃ参照）が３本、側面視でそれぞれ平行に、且つ、平面視でそれぞれ直角に配置されると共に、隣接するパイプ同士が補強を兼ねた連結棒３１２で溶接固定された構成である。
【００３９】
ここで、３本のパイプ（図５（ａ）〜図５（ｃ）の符号３１１ａ〜３１１ｃ参照）は、底枠本体１０１（図４（ａ）参照）の隅に立設された３本の突起部１１０と、ガタツキが生じることなく且つスムーズに勘合挿入出来る様に、それぞれのパイプ同士のピッチ、及び、各パイプの穴部（図示省略）の内寸法と当該穴部に挿入される突起部１１０の外寸法が予め適切に設定されている。
【００４０】
また、右側の足部側支柱部材３１０Ｒのこれら３本のパイプは、図５（ａ）〜図５（ｃ）に示す様に、角部に配置されたパイプを角部パイプ３１１ａ、底枠本体１０１の短辺１０１Ｓ（図４（ａ）参照）の側に対応する位置に配置されたパイプを短辺側パイプ３１１ｂ、底枠本体１０１の長辺１０１Ｌ（図４（ａ）参照）の側に対応する位置に配置されたパイプを長辺側パイプ３１１ｃと呼ぶ。
【００４１】
尚、本実施の形態の角部パイプ３１１ａ、短辺側パイプ３１１ｂ、長辺側パイプ３１１ｃは、本考案の足部側支柱部材の三本の支柱の一例にあたる。
【００４２】
図５（ｂ）に示す様に、角部パイプ３１１ａと短辺側パイプ３１１ｂは互いに同じ高さＨ１であり、長辺側パイプ３１１ｃの高さＨ２は、角部パイプ３１１ａの高さＨ１より距離Ｈ３だけ予め低く構成されている。
【００４３】
また、図５（ｃ）に示す通り、右側の足部側支柱部材３１０Ｒにおける、角部パイプ３１１ａの上端部には四角形の穴部３２０Ｒ１が設けられており、長辺側パイプ３１１ｃの上端部には四角形の穴部３２０Ｒ２が設けられている。
【００４４】
また、上記と同様に、左側の足部側支柱部材３１０Ｌにおける、角部パイプ３１１ａの上端部には四角形の穴部３２０Ｌ１が設けられており、長辺側パイプ３１１ｃの上端部には四角形の穴部３２０Ｌ２が設けられている。
【００４５】
尚、左側の足部側支柱部材３１０Ｌは、上述した右側の足部側支柱部材３１０Ｒと同じ構成であるのでその他の説明は省略する。
【００４６】
また、右側梁部材５００は、上述した通り、右側の足部側支柱部材３１０Ｒと右側の頭部側支柱部材４１０Ｒとを繋ぐ梁部材であり、図６（ａ）に示す様に、上側梁５１０と、上側梁５１０により長さの短い下側梁５２０とが、側面視で平行に配置されると共に、３本の連結パイプ５３０により溶接固定され、且つ、補強を兼ねた連結棒５４０により溶接固定された構成である。
【００４７】
ここで、上側梁５１０の下面と下側梁５２０の下面の距離はＨ３であり、図５（ｂ）で説明した、角部パイプ３１１ａの高さＨ１と長辺側パイプ３１１ｃの高さＨ２との差（図５（ｂ）の距離Ｈ３参照）に等しい。
【００４８】
また、上側梁５１０の足部側には、上述した通り、右足部側の上側突起部５００Ｆ１が下方に向けて突き出していると共に、下側梁５２０の足部側には、上述した通り、右足部側の下側突起部５００Ｆ２が下方に向けて突き出している（図６（ａ）参照）。
【００４９】
尚、右足部側の上側突起部５００Ｆ１と右足部側の下側突起部５００Ｆ２のピッチ、及び、それぞれの突起部５００Ｆ１、５００Ｆ２の外寸法と、当該突起部５００Ｆ１、５００Ｆ２が挿入される、右側の足部側支柱部材３１０Ｒの上端部に設けられた穴部３２０Ｒ１、３２０Ｒ２の内寸法は、ガタツキが生じることなく且つスムーズに勘合挿入出来る様に予め適切に設定されている。
【００５０】
また、上側梁５１０の頭部側には、上述した通り、右頭部側の上側突起部５００Ｈ１が下方に向けて突き出していると共に、下側梁５２０の頭部側には、上述した通り、右頭部側の下側突起部５００Ｈ２が下方に向けて突き出している（図６（ａ）参照）。
【００５１】
尚、右頭部側の上側突起部５００Ｈ１と右頭部側の下側突起部５００Ｈ２のピッチ、及び、それぞれの突起部５００Ｈ１、５００Ｈ２の外寸法と、当該突起部５００Ｈ１、５００Ｈ２が挿入される、右側の頭部側支柱部材４１０Ｒの上端部に設けられた穴部４２０Ｒ１、４２０Ｒ２の内寸法は、ガタツキが生じることなく且つスムーズに勘合挿入出来る様に予め適切に設定されている。
【００５２】
また、上側梁５１０の上面には、天井補強格子部材７００を固定する為の取付板（図示省略）が突き出して固定されており、各取付板には、固定用ボルトを挿入する為の貫通孔（図示省略）が設けられている。
【００５３】
また、天井補強格子部材７００は、図６（ｃ）に示す様に、底枠本体１０１の短辺１０１Ｓに平行であって等間隔に配置されたステンレス製の複数の短辺補強板７１０と、底枠本体１０１の長辺１０１Ｌに平行であって等間隔に配置されたステンレス製の４本の長辺補強板７２０とが、格子状に配置されており、それらの各交差部７３０において互いに溶接固定された構成である。
【００５４】
また、短辺補強板７１０と長辺補強板７２０のぞれぞれの両端には、貫通孔７４０が設けられており、足部側支柱連結部材３０１の上面に設けられた取付板３３０（図５（ｃ）参照）の貫通孔３３０ａ、足部側支柱連結部材３０１に設けられた取付板３３０と同様に、頭部側支柱連結部材４０１（図２参照）の上面に設けられた取付板（図示省略）の貫通孔（図示省略）、右側梁部材５００の上側梁５１０の上面に設けられた取付板（図示省略）の貫通孔（図示省略）、及び、左側梁部材６００の上側梁６１０（図６（ａ）参照）の上面に設けられた取付板（図示省略）の貫通孔（図示省略）を利用して、ボルト７５０（図１２参照）とナット（図示省略）により、天井補強格子部材７００を確実に固定出来る構成である。
【００５５】
次に、本実施の形態のベッド用簡易耐震装置１の組み立て手順について、図７〜図１５を用いて説明する。
【００５６】
図７は、底枠１００と化粧板２００の組み立て状況を示す平面図であり、図８は、底枠１００と化粧板２００の組み立て状況を示す斜視図である。
【００５７】
また、図９は、ベッド１０を配置した状況を示す斜視図である。尚、図９では、ヘッドボード１０Ｈとマットレス１０Ｍの記載を省略した。
【００５８】
また、図１０（ａ）は、底枠１００と、足部側支柱組品３００と、頭部側支柱組品４００と、右側梁部材５００と、左側梁部材６００との組み立て手順を示す右側面図であり、図１０（ｂ）は、図１０（ａ）で示す各部材を組み立てた状況を示すと共に、天井補強格子部材７００の組み立て手順を示す右側面図である。
【００５９】
また、図１１は、底枠１００と足部側支柱組品３００との組み立て状況を示す斜視図である。
【００６０】
また、図１２は、天井補強格子部材７００を固定した状況を示す斜視図である。
【００６１】
また、図１３は、本実施の形態のベッド用簡易耐震装置１の組み立てが完了した状態を示す概略斜視図である。
【００６２】
まず、作業者は、ある部屋においてベッド１０を配置すべき位置に底枠１００を配置する（図７、図８参照）。
【００６３】
更に、底枠本体１０１に囲まれた領域１０２（図４（ａ）参照）に化粧板２００を構成する４枚のパネル２０１〜２０４を、中央部１０２Ｃの領域を残して敷き詰める。
【００６４】
尚、底枠本体１０１及び４枚のパネル２０１〜２０４の裏面には厚手の両面テープ（図示省略）を用いて、部屋の床面に接着する。必要に応じてビス止めしても良い。
【００６５】
また、中央部１０２Ｃの領域を残して、化粧板２００を構成する４枚のパネル２０１〜２０４を敷き詰めることにより、両面テープを下面に付着させたパネル２０１〜２０４の接着作業が容易に行える他、例えば、部屋の模様替え等でベッド１０を移動させる場合でも、中央部１０２Ｃの領域を残すことで、その領域では床面２０が露出（図８参照）しているのでパネルを剥がし易いというメリットがある。また、両面テープの代わりに接着剤を用いた場合において、その乾燥状態をチェックすることに中央部１０２Ｃの領域が利用可能である。
【００６６】
尚、本実施の形態では、底枠本体１０１の内寸と、４枚のパネル２０１〜２０４を敷き詰めた時の化粧板２００の外寸が隙間無く組み立てられている場合について説明した。しかし、底枠１００は、ステンレス鋼材による帯鋼で溶接付けによる加工部品であり、底枠本体１０１の内寸と、４枚のパネル２０１〜２０４を敷き詰めた時の化粧板２００の外寸が隙間無く組み立てられるとは限らない。その場合でも、底枠本体１０１の帯鋼と化粧板２００の４方向の各方向における合わせ面の少なくとも一部を互いに密着させることにより、地震発生時の横揺れ対策としての効果を発揮することが出来る。この様な横揺れ防止の観点からも分かる様に、中央部１０２Ｃの領域は、化粧板２００を敷き詰める必要が無いので、上記の様な利用が可能となる。
【００６７】
この様に、本実施の形態のベッド用簡易耐震装置１の場合、両面テープによる化粧板２００の床面２０への接着力により、建家の床面２０と揺れが同期しており、室内でのベッド１０の転倒や横滑りを防ぎ、災害を最小限に抑えることが出来る構造である。
【００６８】
次に、底枠本体１０１の内側、即ち、化粧板２００の上にベッド１０を配置する（図９参照）。
【００６９】
次に、底枠１００の突起部１１０を利用して、底枠１００に対して足部側支柱組品３００と頭部側支柱組品４００を取り付ける。
【００７０】
具体的には、図１０（ａ）に示す様に、底枠１００の足部側の左右両隅にそれぞれ上向きに立設された３本の突起部１１０の内、右隅の３本の突起部１１０に対して、足部側支柱組品３００の右側の足部側支柱部材３１０Ｒ（図２、図１３参照）を構成する角部パイプ３１１ａの下端部と短辺側パイプ３１１ｂの下端部と長辺側パイプ３１１ｃの下端部のそれぞれに設けられた四角形の穴部（図示省略）を挿入すると共に、左隅の３本の突起部１１０に対して、足部側支柱組品３００の左側の足部側支柱部材３１０Ｌ（図２、図１３参照）を構成する角部パイプ３１１ａの下端部と短辺側パイプ３１１ｂの下端部と長辺側パイプ３１１ｃの下端部のそれぞれに設けられた四角形の穴部（図示省略）を挿入する（図１０（ａ）の矢印Ａ参照）。
【００７１】
これにより、足部側支柱組品３００を底枠１００に簡単に取り付けることが出来ると共に、両隅において３箇所を勘合固定出来るので、容易に抜けることはなく、強度的にも確実に固定出来る。
【００７２】
また、頭部側支柱組品４００については、足部側支柱組品３００と同様の手順で底枠１００に取り付ける（図１０（ａ）の矢印Ｂ参照）。
【００７３】
即ち、具体的には、図１０（ａ）に示す様に、底枠１００の頭部側の左右両隅にそれぞれ上向きに立設された３本の突起部１１０の内、右隅の３本の突起部１１０に対して、頭部側支柱組品４００の右側の頭部側支柱部材４１０Ｒ（図２、図１３参照）を構成する角部パイプ４１１ａの下端部と短辺側パイプ４１１ｂの下端部と長辺側パイプ４１１ｃの下端部のそれぞれに設けられた四角形の穴部（図示省略）を挿入すると共に、左隅の３本の突起部１１０に対して、頭部側支柱組品４００の左側の頭部側支柱部材４１０Ｌ（図２、図１３参照）を構成する角部パイプ４１１ａの下端部と短辺側パイプ４１１ｂの下端部と長辺側パイプ４１１ｃの下端部のそれぞれに設けられた四角形の穴部（図示省略）を挿入する（図１０（ａ）の矢印Ｂ参照）。
【００７４】
尚、本実施の形態の角部パイプ４１１ａ、短辺側パイプ４１１ｂ、長辺側パイプ４１１ｃは、本考案の頭部側支柱部材の三本の支柱の一例にあたる。
【００７５】
これにより、頭部側支柱組品４００を底枠１００に簡単に取り付けることが出来ると共に、両隅において３箇所を勘合固定出来るので、容易に抜けることはなく、強度的にも確実に固定出来る。
【００７６】
また、上記構成によれば、足部側支柱組品３００と頭部側支柱組品４００の構成は全く同じであるので、底枠１００の足部側に頭部側支柱組品４００を取り付けて、底枠１００の頭部側に足部側支柱組品３００を取り付けても良いので、組み立て間違いが生じない。
【００７７】
次に、底枠１００の足部側に取り付けられて自立している足部側支柱組品３００と、足部側に取り付けられて自立している頭部側支柱組品４００とを、右側梁部材５００と、左側梁部材６００とを用いて連結する。
【００７８】
具体的には、図１０（ａ）に示す様に、右側梁部材５００の右足部側の上側突起部５００Ｆ１、右足部側の下側突起部５００Ｆ２を、右側の足部側支柱部材３１０Ｒの上端部に設けられた穴部３２０Ｒ１、３２０Ｒ２に対して挿入する（図１０（ａ）の矢印Ｃ参照）と共に、右頭部側の上側突起部５００Ｈ１、右頭部側の下側突起部５００Ｈ２を、右側の頭部側支柱部材４１０Ｒの上端部に設けられた穴部４２０Ｒ１、４２０Ｒ２に対して挿入する（図１０（ａ）の矢印Ｄ参照）。
【００７９】
また、左側梁部材６００については、上述した右側梁部材５００と同様の手順で取り付ける（図１０（ａ）参照）。
【００８０】
即ち、具体的には、図１０（ａ）に示す様に、左側梁部材６００の左足部側の上側突起部６００Ｆ１、左足部側の下側突起部６００Ｆ２を、左側の足部側支柱部材３１０Ｌの上端部に設けられた穴部３２０Ｌ１、３２０Ｌ２に対して挿入する（図１０（ａ）の矢印Ｃ参照）と共に、左頭部側の上側突起部６００Ｈ１、左頭部側の下側突起部６００Ｈ２を、左側の頭部側支柱部材４１０Ｌの上端部に設けられた穴部４２０Ｌ１、４２０Ｌ２に対して挿入する（図１０（ａ）の矢印Ｄ参照）。
【００８１】
これにより、右側梁部材５００と左側梁部材６００を用いて、足部側支柱組品３００と頭部側支柱組品４００を簡単に連結固定することが出来る。また、右側梁部材５００と左側梁部材６００のそれぞれの両端側において、足部側支柱組品３００と頭部側支柱組品４００に対して、２箇所ずつ勘合固定出来るので、容易に抜けることはなく、強度的にも確実に固定出来る。
【００８２】
また、上記構成によれば、右側梁部材５００と左側梁部材６００の構成は全く同じであるので、足部側支柱組品３００と頭部側支柱組品４００を連結するときに、右側梁部材５００を左側に取り付けて、左側梁部材６００を右側に取り付けても良いので、組み立て間違いが生じない。
【００８３】
最後に、天井補強格子部材７００を取り付ける（図１０（ｂ）の矢印Ｅ参照）。
【００８４】
具体的には、図１０（ｂ）に示す様に、足部側支柱連結部材３０１の上面に設けられた取付板３３０上の貫通孔３３０ａ（図５（ｃ）参照）、及び、頭部側支柱連結部材４０１（図２参照）の上面、右側梁部材５００の上側梁５１０（図２参照）の上面、左側梁部材６００の上側梁６１０（図２参照）の上面に設けられた取付板上の貫通孔（図示省略）に対して、天井補強格子部材７００に形成された貫通孔７４０を位置合わせして配置し、下側からボルト７５０（図１２参照）を通して、ナット（図示省略）によりしっかりと固定する。
【００８５】
これにより、足部側支柱連結部材３０１と頭部側支柱連結部材４０１と右側梁部材５００と左側梁部材６００が、天井補強格子部材７００により一体的に簡単に連結されて確実に固定出来る。
【００８６】
最後に、図１４に示す様に、ベッド１０が動かない様にする為に、必要に応じて、本実施の形態のベッド用簡易耐震装置１の右側の足部側支柱部材３１０Ｒの短辺側パイプ３１１ｂの下端側のベッド１０と対向した面と、長辺側パイプ３１１ｃの下端側のベッド１０と対向した面に、所定の厚みを有するスペーサー１５を両面テープ（図示省略）にて接着する。ここで、図１４は、ベッド１０が動かない様にする為に、スペーサー１５を接着した状況を示す斜視図である。
【００８７】
この様に、本実施の形態のベッド用簡易耐震装置１において、ベッド１０の四隅に対応する位置に配置された各パイプに対して、上記と同様に、スペーサー１５を両面テープにて接着する。
【００８８】
これにより、本実施の形態のベッド用簡易耐震装置１の四隅の下端側において、ベッド１０が動かない様にしっかりと固定出来る。
【００８９】
尚、図１５に示す様に、ベッド１０の足元の上方に、足部側支柱連結部材３０１と連結棒３０２とを利用して、テレビ８００を固定しても良い。
【００９０】
図１５は、本実施の形態のベッド用簡易耐震装置１を組み立てた後、テレビ８００を固定した状況を示す斜視図である。
【００９１】
また、ベッド１０に寝た時に、天井補強格子部材７００の金属部が視野に入るのを回避する為に、部屋のインテリアに合わせて、天井補強格子部材７００の格子状の構造を利用して内側から色物や柄物のカーテン生地を自在に取り付けても良い。
【００９２】
以上説明したことから、本実施の形態のベッド用簡易耐震装置１によれば、底枠１００と、化粧板２００と、足部側支柱組品３００と、頭部側支柱組品４００と、右側梁部材５００と、左側梁部材６００と、天井補強格子部材７００との７つの部材により、容易に組み立てることが出来ると共に、分解も容易に出来る。
【００９３】
そして、各部材同士の連結部分は、ステンレス製のパイプの内側の孔部に、ステンレス製の突起部材を勘合挿入する構成であるので、連結部分の強度が高く、天井補強格子部材７００により、足部側支柱組品３００と頭部側支柱組品４００と右側梁部材５００と左側梁部材６００とをボルト７５０とナットにて一体的に確実に固定しているので、地震等の災害から就寝者を確実に保護することが出来る。
【００９４】
また、就寝時以外で発生した地震に対しても、避難場所として利用することも可能である。
【００９５】
尚、上記実施の形態では、化粧板２００を除く全ての部材がステンレス製の部材である場合について説明したが、これに限らず例えば、ステンレス製以外の強度の高い金属であればどの様な材料であっても良い。
【００９６】
また、上記実施の形態では、本考案の天井補強部材の一例として、短辺補強板７１０と長辺補強板７２０とが、格子状に配置されて各交差部で互いに溶接固定された天井補強格子部材７００を用いた場合について説明したが、これに限らず例えば、一枚の板状部材で構成されていても良い。
【００９７】
また、上記実施の形態では、底枠本体１０１の四隅には、角部に１本、長辺１０１Ｌと短辺１０１Ｓにそれぞれ１本の合計３本ずつ突起部１１０が立設された構成について説明したが、これに限らず例えば、短辺１０１Ｓの突起部１１０を廃止して、角部と長辺１０１Ｌにそれぞれ１本の合計２本ずつ突起部１１０を立設する構成でも良いし、或いは、角部に１本、短辺１０１Ｓに１本、長辺１０１Ｌに２本の合計４本ずつ突起部１１０を立設する構成でも良い。また、短辺１０１Ｓ上の突起部の数と長辺１０１Ｌ上の突起部の数を同じにしても良いし、短辺１０１Ｓ上の突起部の数を長辺１０１Ｌ上の突起部の数より多く設けても良い。
【００９８】
また、上記実施の形態では、各部材の連結を、パイプの端部に設けられた中空の穴部に突起部を挿入して勘合させる構成としたが、これに限らず例えば、上記勘合をさせた上で、更にパイプの穴部に挿入された突起部を、パイプの外周面に設けられた孔からボルトをねじ込み締め付ける構成としても良い。これにより各部材の連結部がより一層確実に固定される。
【産業上の利用可能性】
【００９９】
本考案の被管理者監視システム、被管理者監視方法、プログラム、及び記録媒体によれば、被管理者が所持する端末においてたとえ異常が発生した場合でも、管理端末装置に注意喚起情報を送信出来るという効果を発揮し、例えば、老人ホーム等に適用する被管理者監視システム、被管理者監視方法、プログラム、及び記録媒体として有用である。
【符号の説明】
【０１００】
１００  底枠
２００  化粧板
３００  足部側支柱組品
４００  頭部側支柱組品
５００  右側梁部材
６００  左側梁部材
７００  天井補強格子部材
【図１】
0003197151.tif 000003
【図２】
0003197151.tif 000004
【図３】
0003197151.tif 000005
【図４】
0003197151.tif 000006
【図５】
0003197151.tif 000007
【図６】
0003197151.tif 000008
【図７】
0003197151.tif 000009
【図８】
0003197151.tif 000010
【図９】
0003197151.tif 000011
【図１０】
0003197151.tif 000012
【図１１】
0003197151.tif 000013
【図１２】
0003197151.tif 000014
【図１３】
0003197151.tif 000015
【図１４】
0003197151.tif 000016
【図１５】
0003197151.tif 000017